(57)【要約】【課題】アンテナ支持金具のアンテナ牽引・接続部の牽引・接続孔及びアンテナ牽引部の牽引孔を利用して、アンテナの位置調整作業が容易にできるため、アンテナ取付及び保守点検作業を簡易に行うことができる。【解決手段】アンテナ取付装置は、アンテナを支持するアンテナ取付部と、アンテナ牽引・接続部と、アンテナ取上・取下部とからなるアンテナ支持金具と、アンテナとアンテナ支持金具とを固定するアンテナ取付金具と、支持柱を把持する支持柱把持部と、アンテナ固定部とからなる空中線取付金具とから構成され、アンテナ取付金具で固定されたアンテナとアンテナ支持金具とが、アンテナ牽引・接続部の牽引・接続孔及びアンテナ取上・取下部の牽引孔を用いて牽引され、アンテナ牽引・接続部の牽引・接続孔と接続することで、アンテナを支持柱に取付ける。【選択図】図６
2020022080.tif 000002
【特許請求の範囲】
【請求項１】
アンテナを支持するアンテナ取付部と、
前記アンテナ取付部と連結し、牽引・接続孔を有するアンテナ牽引・接続部と、
前記アンテナ取付部の前記アンテナ支持面とは反対の面で接続され、牽引孔を有するアンテナ取上・取下部と、からなるアンテナ支持金具と、
前記アンテナと前記アンテナ支持金具とを固定するアンテナ取付金具と、
支持柱を把持する支持柱把持部と、前記アンテナ牽引・接続部の牽引・接続孔と接続する接続孔を有するアンテナ固定部とからなる空中線取付金具と、から構成され、
前記アンテナ取付金具で固定された前記アンテナと前記アンテナ支持金具とが、前記アンテナ牽引・接続部の牽引・接続孔及び前記アンテナ取上・取下部の牽引孔を用いて牽引され、前記支持柱を把持した前記空中線取付金具の前記アンテナ固定部の接続孔が、前記アンテナ牽引・接続部の牽引・接続孔と接続することで、前記アンテナを前記支持柱に取付けるアンテナ取付装置。
【請求項２】
前記アンテナ取付金具が、前記アンテナ及び前記アンテナ支持金具を、水平面に対して垂直方向から把持する請求項１記載のアンテナ取付装置。
【請求項３】
前記アンテナ取上・取下部が、前記アンテナ取付部の長手方向と、同一方向または、それと直交する方向の少なくとも２方向で接続可能な請求項１及び２記載のアンテナ取付装置。
【請求項４】
アンテナを前記アンテナ取付金具により、前記アンテナ支持金具に固定する工程と、
前記支持柱に前記空中線取付金具を把持する工程と、
牽引手段により、前記アンテナを固定した前記アンテナ支持金具を、前記アンテナ牽引・接続部の前記牽引・接続孔を用いて牽引し、前記支持柱に把持した前記空中線取付金具の位置まで引き上げる工程と、
前記アンテナ支持金具の前記アンテナ牽引・接続部の前記牽引・接続孔の一部と、前記空中線取付金具の接続孔とを仮固定する工程と、
仮固定した前記アンテナ支持金具を、前記牽引手段により、前記アンテナ取上・取下部の牽引孔を用いて牽引し、前記アンテナ支持金具を回動させながら引き上げる工程と、
前記アンテナ支持金具の牽引・接続孔と、前記空中線取付金具の前記接続孔とを、前記アンテナ支持金具とを固定する工程と、からなるアンテナの取付方法。
【請求項５】
請求項４記載のアンテナの取付方法により固定された前記アンテナ支持金具の前記アンテナ牽引・接続部の前記牽引・接続孔と、それに対応する前記空中線取付金具の接続孔を、１の固定部を残して開放する工程と、
前記アンテナ支持金具を、前記牽引手段により、前記アンテナ取上・取下部の牽引孔を用いて、前記の１の固定部を中心に回動させ、前記アンテナ支持金具の水平面に対する角度を調整しながら、前記アンテナの目視確認を行う工程と、からなるアンテナの保守点検方法。
【発明の詳細な説明】
【技術分野】
【０００１】
本発明は、山間部にある鉄柱などの支持柱に対して、アンテナを簡易に取り付け、保守点検をすることができるアンテナ取付装置、取付方法及び保守点検方法に関するものである。
【背景技術】
【０００２】
従来、鉄柱などの支持柱にアンテナを取り付け、または保守点検を行う方法としては、ワイヤを利用したものや、伸縮アームを備えたクレーン車を利用したアンテナ取付方法及び保守点検方法が用いられてきた。しかしながら、山間部においては、クレーン車の進入が困難であることから、前者のワイヤを利用したアンテナ取付方法及び保守点検方法がとられている。
【０００３】
この方法は、支持柱の足場を利用して、アンテナの取付位置の上方に滑車を固定し、滑車と地上との間にワイヤを設置して、ワイヤに固定したアンテナをワイヤで支持柱の上部に引き上げてアンテナを取り付けるものである。
【０００４】
一方、定期的に行われるアンテナの目視点検や、それに基づく補修や部品交換といった保守点検作業においては、山間部においては、クレーン車の進入が困難であることから、支持柱の足場を利用した架空での作業が行われてきた。
【先行技術文献】
【特許文献】
【０００５】
【特許文献１】特開１９９６−２２２９２３
【発明の概要】
【発明が解決しようとする課題】
【０００６】
上述した従来のワイヤを利用したアンテナの取付方法では、ワイヤで固定したアンテナをワイヤで支持柱の上部に引き上げ後、アンテナの頭を持ち上げたり、下ろしたりといった作業はアンテナに固定した複数のワイヤのみを操作して行われるため、この方法では微妙な位置調整は難しく、多くの時間がかかっていた。
【０００７】
また、定期的に行われるアンテナの目視点検や、それに基づく保守点検や部品交換といった保守点検作業においては、確実に点検を行うためには、多方向からアンテナを眺めることが必要で、そのためには、別に足場を組んだり、アンテナを地上に下ろして点検するといった作業が必要であった。
【課題を解決するための手段】
【０００８】
そこで、本発明のアンテナ取付装置では、アンテナを支持するアンテナ取付部と、アンテナ取付部と連結し、牽引・接続孔を有するアンテナ牽引・接続部と、アンテナ取付部のアンテナ支持面とは反対の面で接続され、牽引孔を有するアンテナ取上・取下部とからなるアンテナ支持金具と、アンテナとアンテナ支持金具とを固定するアンテナ取付部と、支持柱を把持する支持柱把持部と、アンテナ牽引・接続部の牽引・接続孔と接続する接続孔を有するアンテナ固定部とからなる空中線取付金具から構成される。そして、アンテナ取付金具で固定されたアンテナとアンテナ支持金具とが、アンテナ牽引・接続部の牽引・接続孔及びアンテナ取上・取下部の牽引孔を用いて牽引され、支持柱を把持した空中線取付金具のアンテナ固定部の接続孔が、アンテナ牽引・接続部の牽引・接続孔と接続すること容易にで、アンテナを支持柱に取付ける。
【発明の効果】
【０００９】
本発明のアンテナ取付装置は、従来のワイヤによる方法で、アンテナ支持金具のアンテナ牽引・接続部の牽引・接続孔を利用してアンテナを牽引し、アンテナ取上・取下部の牽引孔を利用して、アンテナの頭を持ち上げたり、下ろしたりする細かな位置調整作業が容易にできるため、アンテナ取付作業を簡易に行うことができる。
【００１０】
また、本発明のアンテナ取付装置を用いることで、アンテナの定期的に行われる目視点検や、その結果に基づく補修や部品交換といった保守点検作業においても、別に足場を組んだり、アンテナを地上に下ろしたりせずに、架空で、多方向からアンテナを眺めることができ、保守点検作業も簡易に行うことができる。
【図面の簡単な説明】
【００１１】
【図１】本実施形態のアンテナ支持金具で、（Ａ）は正面図、（Ｂ）は側面図、（Ｃ）は底面図である。
【図２】本実施形態のアンテナ取付金具で、（Ａ）は正面図、（Ｂ）は側面図である。
【図３】本実施形態の空中線取付金具の１の形状で、（Ａ）は平面図、（Ｂ）は正面図、（Ｃ）は側面図である。
【図４】本実施形態の空中線取付金具の他の形状で、（Ａ）は平面図、（Ｂ）は正面図、（Ｃ）は側面図である。
【図５】本実施形態のアンテナ取付金具へのアンテナ実装図で、（Ａ）は正面図（作業時）、（Ｂ１）は底面図（作業時）、（Ｂ２）は底面図（作業完了時）、（Ｃ）は側面図（作業時）である。
【図６】本実施形態のアンテナ支持金具、アンテナ取付金具、空中線取付金具を用いた際のアンテナ取付作業図で、（Ａ）はアンテナ牽引時、（Ｂ）はアンテナ仮固定時、（Ｃ）はアンテナ固定完了時である。
【図７】本実施形態のアンテナ支持金具、アンテナ取付金具、空中線取付金具を用いた際のアンテナ保守点検作業図で、（Ａ）はアンテナ保守点検作業着手時、（Ｂ）はアンテナ引き下げ時、（Ｃ）はアンテナ保守点検作業時である。
【発明を実施するための形態】
【００１２】
以下、本発明実施形態を図面に基づいて詳細に説明する、なお、本発明は以下に説明する実施形態に限られるものではない。
【００１３】
図１は本実施形態のアンテナ支持金具で、図１（Ａ）は正面図、図１（Ｂ）は側面図、図１（Ｃ）は底面図である。アンテナ支持金具１０は、後述するアンテナ取付金具２０で固定されたアンテナを支持するアンテナ取付部１１と、アンテナ取付部１１の長手方向４０の反対端で接続されたアンテナ牽引・接続部１２と、アンテナ取付部１１のアンテナ支持面とは反対の面で連結されたアンテナ取上・取下部１３とから構成される。
【００１４】
アンテナ取付部１１は、その重量が作業の際に障害にならない点や、アンテナを支持する強度の点を配慮して、断面が中空の鋼材が専ら用いられているが、上記の問題が満足できるものであれば材質の制限はない。また、図１（Ｂ）の側面図では、アンテナ取付部１１は、円筒形状をしているが、市場に広く流通している形状で、六角形状や四角形状の内部が中空の鋼材ものを用いても構わない。
【００１５】
アンテナ牽引・接続部１２には、後述するワイヤ６１を接続して牽引する目的と、後述する空中線取付金具３０と接続するための目的で、牽引・接続孔１２ａ〜１２ｃが設けられている。このアンテナ牽引・接続部の牽引・接続孔１２ａ〜１２ｃについて、空中線取付金具３０と一定位置で接続するためには、最低２か所で十分である。しかしながら、以下の説明では、図１に示したように３か所あることを前提に説明を行う。
【００１６】
また、アンテナ牽引・接続部１２の角部１２ｄは、牽引時に空中線取付金具３０や後述する支持柱７０と接触しても、それらを傷つけないように滑らかな形状の面取りが施されている。
【００１７】
アンテナ取付部１１とアンテナ牽引・接続部１２は、一体成型することは難しいため、別々に製造され、接続部１４で連結される。この連結手段としては、専ら溶接等が用いられる。また、アンテナ牽引・接続部１２の牽引・接続孔１２ａ〜１２ｃはアンテナを搭載したアンテナ支持金具１０全体を支えるために、アンテナ牽引・接続部１２の材質は、アンテナ取付部１１の材質と溶接強度の点で相性の良い素材が用いられ、アンテナ取付部と同様材質の鋼材などが用いられる。
【００１８】
図１（Ｃ）の底面図に示すように、アンテナ取上・取下部１３は、接続孔１３ｂでアンテナ取付部１１と接続する。この位置は、アンテナ取付部１１のアンテナを搭載する面とはＹ軸方向に反対面で、アンテナ取上・取下部１３が接続孔１３ｂを中心軸として、位置を可変できるようにボルト等で接続される。また、アンテナ支持金具の各部は、厳しい環境に耐えうるように、表面処理が施される。
【００１９】
図２は本実施形態のアンテナ取付金具で、図２（Ａ）は正面図、図２（Ｂ）は側面図である。図２（Ａ）の正面図に示すように、アンテナ取付金具２０は第１把持部２１、第２把持部２２、第３把持部２３とで構成される。第１把持部２１は第２把持部２２とともに、アンテナブ−ム５１を把持する。アンテナブーム５１は第１把持部２１のアンテナブーム固定面２１ｅと第２把持部２２のアンテナブーム固定面２２ｃとで把持される。この把持は、第１把持部２１の接続孔２１ａ、２１ｂと、それに対応する第２把持部２２の接続孔２２ａ、２２ｂとの間をＺ軸方向の上下からボルト等で締め付けることで行われる。なお、この固定位置は、図２（Ｂ）の側面図に示したように、導波器５２を挟まない位置を選んで行われる。
【００２０】
同様に、第３把持部２３は第１把持部２１とともに、アンテナ支持金具１０のアンテナ取付部１１を把持する。アンテナ取付部１１は第１把持部２１のアンテナ取付部固定面２１ｆと第３把持部２３のアンテナ取付部固定面２３ｃとで把持される。この把持は、第１把持部２１の接続孔２１ｃ、２１ｄと、それに対応する第３把持部２３の接続孔２３ａ、２３ｂとの間をＺ軸方向の上下からボルト等で締め付けることで行われる。
【００２１】
なお、アンテナブーム５１及びアンテナ支持金具１０の把持方向としては、Ｘ軸方向の左右から把持することも考えられるが、この場合には、作業を容易にするため、アンテナ５０をＺ軸方向上下に置いて作業をしたいが、導波器５２がＸ軸方向の正負方向に細く長く伸びる八木アンテナを搭載する場合には、導波器５２を傷つけてしまうため、導波器５２をＺ軸方向の上下に置くことができない。そのため、本実施例では、Ｚ軸方向の上下から把持することとしている。そこで、Ｚ軸方向の上下から締め付けることで行われる。
【００２２】
第１把持部２１のアンテナ取付部固定面２１ｆと、第３把持部２３のアンテナ取付部固定面２３ｃの形状については、図２（Ａ）の正面図に示すように、アンテナ取付部１１の円形形状について記載しているが、アンテナ取付部の断面形状が六角形状や四角形状のものを用いた場合は、それらに対応した六角形状や四角形状となる。また、アンテナ取付金具２０の材質は、アンテナ取付部１１と同様材質の鋼材などが用いられ、同様に、厳しい環境に耐えうるように、表面処理が施される。
【００２３】
図３は本実施形態の空中線取付金具３０の１の形状で、図３（Ａ）は平面図、図３（Ｂ）は正面図、図３（Ｃ）は側面図である。空中線取付金具３０は支持柱把持部３１、３２とアンテナ固定部３３とで構成される。図３は電波放射方向が１方向の空中線取付金具３０の場合で、支持柱把持部３１の外側に１方向のアンテナ固定部３３が設けられている。
【００２４】
図３（Ａ）の平面図に示すように、支持柱把持部３１、３２は、支持柱７０を把持する。支持柱７０は支持柱把持部３１の支持柱固定面３１ｇと支持柱把持部３２の支持柱固定面３２ｇとで把持される。この把持は、図３（Ａ）の平面図及び図３（Ｂ）の正面図に示すように、第１把持部２１の接続孔３１ａ〜３１ｆと、それに対応する第２把持部３２の接続孔３２ａ〜３２ｆとの間をボルト等で締め付けることで行われる。また、アンテナ支持金具固定部３３は支持柱把持部３１にボルトや溶接等で連結されるが、以下の説明では、溶接で連結された図を用いて説明する。
【００２５】
図３（Ｂ）の正面図及び図３（Ｃ）の側面図に示すように、アンテナ支持金具固定部３３には接続孔３３ａ、３３ｂ、３３ｃが設けられている。この接続孔３３ａ、３３ｂ、３３ｃは、アンテナ支持金具１０のアンテナ牽引・接続部１２の牽引・接続孔１２ａ、１２ｂ、１２ｃと対応しており、これら相互をボルト等で締め付けることで、空中線取付金具３０にアンテナ支持金具１０が固定され、支持柱７０と一体化する。空中線取付金具３０の材質は、アンテナ取付部と同様材質の鋼材などが用いられ、同様に、厳しい環境に耐えうるように、表面処理が施される。
【００２６】
図４は本実施形態の空中線取付金具３０の他の形状で、図４（Ａ）は平面図、図４（Ｂ）は正面図、図４（Ｃ）は側面図である。電波放射方向が複数方向の空中線取付金具３０で、第１把持部３１の外側にはアンテナ支持金具固定部３３、３４が、第２把持部３２の外側にはアンテナ支持金具固定部３５、３６が設けられている。これは、電波放射方向が４方向の場合である。アンテナ支持金具固定部３４〜３６には、アンテナ支持金具１０のアンテナ牽引・接続部１２の接続孔１２ａ、１２ｂ、１２ｃと対応してする接続孔が設けられており、それら相互をボルト等で締め付けることで、空中線取付金具３０にアンテナ支持金具１０が固定され、支持柱７０と一体化する。
【００２７】
図５は本実施形態のアンテナ取付金具へのアンテナ実装図で、図５（Ａ）は正面図（作業時）、図５（Ｂ１）は底面図（作業時）、図５（Ｂ２）は底面図（作業完了時）、図５（Ｃ）は側面図（作業時）である。図５（Ａ）の正面図に示すように、アンテナブーム５１はアンテナ取付金具２０でアンテナ支持金具１０と固定される。アンテナ支持金具１０が空中線取付金具３０に仮固定されるまでの段階では、図５（Ｂ１）の底面図のように、アンテナ取上・取下部１３はアンテナ取付部１１の長手方向４０と直交方向に接続される。アンテナ支持金具１０が空中線取付金具３０に固定された段階では、図５（Ｂ２）の底面図のように、積雪などで障害とならないように、アンテナ取上・取下部１３はアンテナ取付部の長手方向４０と同方向に、アンテナ取付部１１の下部に隠れて接続される。
【００２８】
図６は本実施形態のアンテナ支持金具１０、アンテナ取付金具２０、空中線取付金具３０を用いた際のアンテナ取付作業図で、図６（Ａ）はアンテナ牽引時、図６（Ｂ）はアンテナ仮固定時、図６（Ｃ）はアンテナ固定完了時である。以下、アンテナの取付作業について説明する。
【００２９】
図６（Ａ）でアンテナ牽引時の説明をする。まず、支持柱７０に設置された足場７１を利用して、２種類のワイヤ６１、６２を牽引する滑車６３を設置し、空中線取付金具３０を支持柱７０にしっかりと固定する。次に、アンテナ取付金具２０でアンテナブーム５１と一体化したアンテナ支持金具１０のアンテナ牽引・接続部１２の接続孔１２ａ〜１２ｃの一部または全部を第１のワイヤ６１で固定する。なお、この際、中央の牽引・接続孔１２ｂのみを利用して、バランスをとりながら、以下に述べるアンテナ支持金具１０の牽引作業を行うこともできる。
【００３０】
次に、アンテナ支持金具１０のアンテナ取上・取下部１３の両端の牽引孔１３ａ、１３ｃを第２のワイヤ６２で固定する。そして、ワイヤ６１を滑車６３でバランスをとりながら牽引し、アンテナ支持金具１０のアンテナ牽引・接続部１２の牽引・接続孔１２ｃと空中線取付金具３０のアンテナ支持金具固定部３３の接続孔３３ｃとを合わせ、ボルト等で仮固定する。
【００３１】
図６（Ｂ）でアンテナ仮固定時の説明をする。空中線取付金具３０と仮固定されたアンテナ支持金具１０は、第２のワイヤ６２を滑車６３で牽引し、アンテナ支持金具１０のアンテナ牽引・接続部１２の牽引・接続孔１２ａ〜１２ｃと空中線取付金具３０のアンテナ支持金具固定部３３の接続孔３３ａ〜３３ｃとが合わさる位置まで、アンテナ支持金具１０の先端を引き上げる。
【００３２】
図６（Ｃ）でアンテナ固定時の説明をする。アンテナ支持金具１０のアンテナ牽引・接続部１２の牽引・接続孔１２ａ〜１２ｃと空中線取付金具３０のアンテナ支持金具固定部３３の接続孔３３ａ〜３３ｃとをボルト等で固定し、アンテナ取付金具１０のアンテナ取上・取下部１３は、アンテナ取付部１１の長手方向に直交する方向から、長手方向と同方向に接続される。その後、２種類のワイヤ６１、６２及び滑車６３を撤去して取付作業は完了する。
【００３３】
アンテナ５０を取り付けた後には、定期的に保守点検作業も必要となる。特に豪雪地帯に設置したアンテナ５０は、積雪により素子の電気長が等価的に長くなって電気的性能が劣化することが知られており、撥水塗装を施して積雪を防止することが行われる。この撥水塗装は、時間の経過とともに塗装がはがれ落ち、撥水機能が数年でなくなりため、定期的な保守点検作業が必要となる。
【００３４】
保守点検作業は、アンテナ特性の確認の他、風雪等の厳しい環境に晒されるアンテナ５０、アンテナ支持金具１０、アンテナ取り付金具２０、空中線取付金具３０の目視による点検も行われる。この際、これらに劣化が見られた場合に、これらの部分についても、取替や再塗装等の処置が行われる。なお、これらは架空作業となるため、アンテナ５０及び周辺部品を色々な角度から眺めることが難しく、従来までは詳細な点検が困難であった。
【００３５】
図７は本実施形態のアンテナ支持金具１０、アンテナ取付金具２０と、空中線取付金具３０を用いた際の保守点検作業図で、図７（Ａ）はアンテナ保守点検作業着手時、図７（Ｂ）はアンテナ引き下げ時、図７（Ｃ）はアンテナ保守点検作業時である。
【００３６】
図７（Ａ）でアンテナ保守点検作業着手時の説明をする。まず、支持柱７０に設置された足場を利用して、ワイヤ６２を牽引する滑車６３を設置する。次に、空中線取付金具３０のアンテナ支持金具固定部の接続孔３３ａ、３３ｂのボルトを外し、３３ｃの固定ボルトを緩める。この際、アンテナ５０及びアンテナ支持金具１０はアンテナ支持金具固定部の接続孔３３ｃの周りを回動可能な状態となるため、ワイヤ６２でアンテナ支持金具１０を支持する。
【００３７】
図７（Ｂ）でアンテナ引き下げ時の説明をする。ワイヤ６２により、アンテナ５０及びアンテナ支持金具１０をゆっくりと引き下げる。この際、アンテナ５０及びアンテナ支持金具１０は、空中線取付金具３０のアンテナ固定部３３の接続孔３３ｃとアンテナ牽引・接続部の牽引・接続孔１２ｃを回転軸として、回動しながら、下方を向く。
【００３８】
図７（Ｃ）でアンテナ保守点検作業時の説明をする。アンテナ５０及びアンテナ支持金具１０が、目視点検したい位置になったら、ワイヤ６２を地上で支持し、保守点検作業を開始する。なお、図７（Ｃ）はアンテナ５０及びアンテナ支持金具１０が真下を向いて支持されているが、この作業は、目視点検や撥水塗装など各々の作業がしやすい任意の位置でワイヤ６２を支持して作業を行う。
【００３９】
この方法によれば、アンテナの定期的に行われる目視点検や、その結果に基づく補修や部品交換といった保守点検作業においても、別に足場を組んだり、アンテナを地上に下ろしたりせずに、架空で、多方向からアンテナを眺めることができ、保守点検作業も簡易に行うことができる。なお、保守点検作業完了時には、この手順を逆方向に進めることで元の状態に戻すことができる。
【符号の説明】
【００４０】
１０…アンテナ支持金具
１１…アンテナ取付部
１２…アンテナ牽引・接続部
１３…アンテナ取上・取下部
１４…接続部
１２ａ〜１２ｃ…牽引・接続孔
１３ａ、１３ｃ…牽引孔
１３ｂ…接続孔
２０…アンテナ取付金具
２１、２２、２３…把持部
２１ａ〜２１ｄ、２２ａ、２２ｂ、２３ａ、２３ｂ、３１ａ〜３１ｆ、３２ａ〜３２ｆ、３３ａ〜３３ｃ、３４ａ〜３４ｃ、３５ａ〜３５ｃ…接続孔
２１ｅ、２２ｃ…アンテナブーム固定面
２１ｆ、２３ｃ…アンテナ取付部固定面
３０…空中線取付金具
３１、３２…支持柱把持部
３３、３４、３５，３６…アンテナ支持金具固定部
４０…アンテナ取付部の長手方向
５０…アンテナ
５１…アンテナブ−ム
５２…導波器
６１、６２…ワイヤ
６３…滑車
７０…支持柱（支持柱）
７１…足場
【図１】
2020022080.tif 000003
【図２】
2020022080.tif 000004
【図３】
2020022080.tif 000005
【図４】
2020022080.tif 000006
【図５】
2020022080.tif 000007
【図６】
2020022080.tif 000008
【図７】
2020022080.tif 000009